(57)【特許請求の範囲】
【請求項１】
着座用シート体の前端部にフットレストを有し、該フットレストを前記着座用シート体の収納位置と前記着座用シート体の使用位置と前記着座用シート体のロック解除位置に切り換えて設定可能なフットレスト付きシートであって、
前記フットレストの根元部は前記着座用シート体の前端部に回動可能に支持され、
前記フットレストの下部へ回動可能に連結された連動リンクと、
前記フットレストに設けられ、使用位置での前記連動リンクに当接し、かつ前記フットレストに対する前記連動リンクの回転を禁止するストッパと、
前記着座用シート体下部へ連結軸を介して回動可能な作動リンクと、
前記各リンク同士に張架された連結ばねとを有し、
前記リンク同士は、移動可能且つ回動可能に係合することにより前記使用位置及び前記収納位置及び前記ロック解除位置へ各ヶ設定可能で、
前記収納位置から前記使用位置への移行時に、前記両リンクが前記連結ばねにより反転して略直線状にて係止された状態に付勢され、
前記使用位置から前記ロック解除位置への移行時に、前記両リンクが前記連結ばねにより反転して収納位置方向へ付勢されるフットレスト付きシート。
【請求項２】
前記フットレストの根元部は前記着座用シート体の前端部に回動可能に支持され、前記フットレストの下部へ回動可能に連結された連動リンク、前記着座用シート体下部へ連結軸を介して回動可能な作動リンク、各リンク同士を前記連結ばねによって張架させ、前記連動リンク上の略Ｌ字状の長溝と前記作動リンク上の突設ピンが移動可能に係合し、
前記連結ばねの付勢力に抗して、前記各リンク同士が略直線状にて係止された状態の前記フットレストを前記使用位置とし、
前記フットレストを上方に回動し前記連結ばねの付勢力により前記各リンク同士の係合が外れ、前記略Ｌ字状の長溝内の前記突設ピンが解除位置に移動した前記フットレストを前記ロック解除位置とし、
前記作動リンク及び前記連動リンクを前記使用位置とは逆向きに変位させることにより、前記フットレストを前記収納位置に設定することを特徴とする請求項１記載のフットレスト付きシート。
【請求項３】
前記フットレストの根元部は前記着座用シート体の前端部に回動可能に支持され、前記フットレストの下部へ回動可能に連結された連動リンク、前記着座用シート体下部へ連結軸を介して回動可能な作動リンク、各リンク同士を前記連結ばねによって張架させ、前記連動リンク上の長溝と前記作動リンク上の前記突設ピンが移動可能に係合し、かつ前記作動リンク下部に配されたマグネットを有し、前記連結ばねの付勢力に抗して、前記各リンク同士が前記マグネットにより吸着され略直線状にて係止された状態の前記フットレストを前記使用位置とし、前記フットレストを上方に回動し前記連結ばねの付勢力により各リンク同士の係合が外れ、前記長溝内の前記突設ピンを解除位置に設定することで前記フットレストの前記ロック解除位置とし、
前記作動リンク及び前記連動リンクを前記使用位置とは逆向きに変位させることにより、前記フットレストを前記収納位置に設定することを特徴とする請求項１記載のフットレスト付きシート。
【発明の詳細な説明】
【０００１】
【発明の属する技術分野】
本発明は、マッサージ用のシートや安楽用のシートとして用いられるフットレスト付きシートに関する。
【０００２】
【従来の技術】
例えば、図５に示すように、着座用シート体の前端部にフットレスト１０を設けて成るフットレスト付きシートが提供されている。このフットレスト１０は、着座用シート体の前方の使用位置（ａ）と、着座用シート体の下方の収納位置（ｂ）とに各ヶ切り換えて設定可能なものである。
【０００３】
前記シートでは、収納位置（ｂ）から使用位置（ａ）への切り換えはハンドル２０を矢印ｃ方向へ操作することにより実現される。即ち、ハンドル２０を矢印ｃの如く操作すると回動軸3０ａがハンドル２０と一体に矢印ｃ方向へ回転し、これに伴い、回動軸3０ａと一体に結合されている作動リンク３０も回転軸3０ａを介してハンドル２０と相対的に矢印ｃ方向へ回転移動する。
【０００４】
作動リンク３０へ回転可能に枢止されている連動リンク４０は、作動リンク３０の矢印ｃ方向の回転により前方へ押し出される。これにより、連動リンク４０の先端部４０ａによって回転可能に支持されているフットレスト１０が根本側５０を中心として回動しつつ前方へ押し出されて、使用位置（ａ）に設定される。使用位置（ａ）から収納位置（ｂ）への切り換えは、前記と逆向きに行われる。
【０００５】
前記のように、フットレスト１０は、前方へ変位され、使用位置（ａ）に設定されロックされる。この使用位置でのロック機構について、前記作動リンク３０及び連動リンク４０間にはスプリング６０が張架されており、収納状態（ｂ）から使用状態（ａ）への各リンクの回動に伴い、連動して伸縮することで各リンクをばね作用によりＡを基点に反転させた後、各リンクが一直線上になった位置で各リンク同士３０ｂ，４０ｂにて当接・係止され、ロックが完了する。
【０００６】
ロック解除についてはハンドル２０を前記矢印ｃ方向と逆向きへ回動させることによりスプリング６０の伸縮によって各リンクがロック方向とは逆向きへＡを基点に反転し係合が解除され、スプリング６０の付勢力により収納状態（ｂ）へ設定される。
【０００７】
【発明が解決しようとする課題】
上述のように、フットレスト１０を使用位置（ａ）及び収納位置（ｂ）へ設定及び切り換えをする時には、必ずハンドル２０を回動操作しなければロック・ロック解除がなされない構造となっている為、操作方法が限定される。また、直接フットレスト１０を回動操作することにより、ロック解除させる折り畳み椅子などの、ロック機構がラチェットタイプの物があるが、このタイプのロック機構を前記フットレスト付きシートへ組込んだ場合、フットレスト１０を直接操作させることもハンドル２０でもって操作させることも可能となるが、部品点数が増えるため構造が複雑となる。
【０００８】
本発明は、前記問題を解決するためになされたものであり、操作方法が選択でき、部品点数も増大しないフットレスト付きシートを提供することを目的とする。
【０００９】
【課題を解決するための手段】
請求項１記載の発明は、着座用シート体の前端部にフットレストを有し、該フットレストを前記着座用シート体の収納位置と前記着座用シート体の使用位置と前記着座用シート体のロック解除位置に切り換えて設定可能なフットレスト付きシートであって、前記フットレストの根元部は前記着座用シート体の前端部に回動可能に支持され、前記フットレストの下部へ回動可能に連結された連動リンクと、前記フットレストに設けられ、使用位置での前記連動リンクに当接し、かつ前記フットレストに対する前記連動リンクの回転を禁止するストッパと、前記着座用シート体下部へ連結軸を介して回動可能な作動リンクと、前記各リンク同士に張架された連結ばねとを有し、前記リンク同士は、移動可能且つ回動可能に係合することにより前記使用位置及び前記収納位置及び前記ロック解除位置へ各ヶ設定可能で、前記収納位置から前記使用位置への移行時に、前記両リンクが前記連結ばねにより反転して略直線状にて係止された状態に付勢され、前記使用位置から前記ロック解除位置への移行時に、前記両リンクが前記連結ばねにより反転して収納位置方向へ付勢されるフットレスト付きシート。
【００１０】
請求項２記載の発明は、前記フットレストの根元部は前記着座用シート体の前端部に回動可能に支持され、前記フットレストの下部へ回動可能に連結された連動リンク、前記着座用シート体下部へ連結軸を介して回動可能な作動リンク、各リンク同士を前記連結ばねによって張架させ、前記連動リンク上の略Ｌ字状の長溝と前記作動リンク上の突設ピンが移動可能に係合し、
前記連結ばねの付勢力に抗して、前記各リンク同士が略直線状にて係止された状態の前記フットレストを前記使用位置とし、
前記フットレストを上方に回動し前記連結ばねの付勢力により前記各リンク同士の係合が外れ、前記略Ｌ字状の長溝内の前記突設ピンが解除位置に移動した前記フットレストを前記ロック解除位置とし、
前記作動リンク及び前記連動リンクを前記使用位置とは逆向きに変位させることにより、前記フットレストを前記収納位置に設定することを特徴とする請求項１記載のフットレスト付きシート。
【００１１】
請求項３記載の発明は、前記フットレストの根元部は前記着座用シート体の前端部に回動可能に支持され、前記フットレストの下部へ回動可能に連結された連動リンク、前記着座用シート体下部へ連結軸を介して回動可能な作動リンク、各リンク同士を前記連結ばねによって張架させ、前記連動リンク上の長溝と前記作動リンク上の前記突設ピンが移動可能に係合し、かつ前記作動リンク下部に配されたマグネットを有し、前記連結ばねの付勢力に抗して、前記各リンク同士が前記マグネットにより吸着され略直線状にて係止された状態の前記フットレストを前記使用位置とし、前記フットレストを上方に回動し前記連結ばねの付勢力により各リンク同士の係合が外れ、前記長溝内の前記突設ピンを解除位置に設定することで前記フットレストの前記ロック解除位置とし、
前記作動リンク及び前記連動リンクを前記使用位置とは逆向きに変位させることにより、前記フットレストを前記収納位置に設定することを特徴とする請求項１記載のフットレスト付きシート。
【００１２】
【発明の実施の形態】
（第１形態例）
以下、図１乃至図３を用いて発明の第１形態例を説明する。図１は、発明の第１形態例に係るフットレスト装置の収納状態における側面図、図２は、発明の第１形態例に係るフットレスト装置の使用状態における側面図、図３は、発明の第１形態例に係るフットレスト装置のロック解除状態における側面図である。
【００１３】
かかる図示しない着座用シート体Ｓは、フットレスト１及び図示しない着座面と着座者用リクライニング機構を備えたシートバックから構成されている。
着座用シート体Ｓの着座面には、座フレーム５と、座フレーム５に固定され、着座面下部に設置された座ブラケット５５が設けられている。座ブラケット５５には、作動リンク３の根元部が回動軸３ａにより回動自在に連結されている。また、座フレーム５前端部である回動軸５ａにはフットレスト１の根元部が回動自在に連結されている。
【００１４】
前記作動リンク３の先端部には垂直方向へ突設ピン８が立設され、連動リンク４の略Ｌ字状の長溝７内に移動可能且つ回動自在に嵌合している。また、作動リンク３及び連動リンク４には連結ばね６が張架され、一端が作動リンク３に連結され他端が連動リンク４に連結されている。なお連結ばね６は常時作動リンク３及び連動リンク４を係止させる方向（連結ばね６の収縮方向）へ付勢力が働いている。
【００１５】
前記フットレスト１の下部には前記連動リンク４が回転軸４ａを介して回動自在に連結されており、フットレスト１が使用位置にて保持される為のストッパ２が固設されている。
【００１６】
次に本フットレスト付きシートの第１形態例の作動を説明する。まず、図１の収納状態から、フットレスト１を直接矢印ｄの如く回動操作する。すると、回動軸５ａを基点として回動したフットレスト１下部に連結された回動軸４ａが連動し、連動リンク４がフットレスト１下部のストッパ２当接面に近づく方向へ、回転しながら前面へ引き出され、連動リンク４の略Ｌ字状の長溝7内に嵌合している突設ピン８により、作動リンク３も矢印ｄ方向へ回動軸３ａを中心に回動しながら前面に引き出される。この時、連動リンク４及び作動リンク３の回動により、連結ばね６の付勢力に抗して、引張力が各リンク同士に作用する。
【００１７】
前記作動リンク３の回転量が或る角度を超えると、前記各リンク同士に作用している引張力が連結ばね６の付勢方向である収縮力に変化し、前記連動リンク４の先端部である係止部４ｂ、及び作動リンク３の先端部である係止部３ｂが当接し、各リンク同士が一直線上になり、着座用シート体Ｓの使用状態に設定される。（各リンク３、４がばね作用により反転した状態）
なお、前記作動リンク３の前記突設ピン８、及び前記連動リンク４の前記略Ｌ字状の長溝との嵌合位置は、前記連結ばね６の付勢力により常に回動位置７ｂに回動自在に保持されている。
【００１８】
こうして、前記着座用シート体Ｓが使用状態に設定されると、前記フットレスト１の自重による力が前記連動リンク４に対して作用し、この力により連動リンク４の前記前端部４ｃは回動軸5ａを基準位置として下方向へ微少量変位する。この為連動リンク４の前記係止部４ｂと前記作動リンク３の前記係止部３ｂが上方へ微少量変位し、係止状態がさらに強化される。よって、連動リンク４の前記前端部４ｃが前記ストッパ２の下面に当接し、その位置で停止される。
【００１９】
次に、使用位置からロック解除位置への切り換えを設定する際の作動を説明する。ロック解除位置への切り替えは、直接前記フットレスト１を、矢印ｄ方向へさらに回動すると、前記連動リンク４も上方へ引っ張られ連動リンク４の係止部４ｂと作動リンク３の係止部３ｂとの係止状態が解除される。すると、前記連結ばね６の付勢力により、連動リンク４及び作動リンク３が各先端部３ａ、係止部４ａを基点に下方へ押し下げられ、連動リンク４の略Ｌ字状の長溝７と作動リンク３の突設ピン８の嵌合位置が前記回動位置７ｂから解除位置７ａに変位する。よって、連動リンク４の解除位置７ａへ作動リンク３の突設ピン８が移動し、その位置が着座用シート体Ｓのロック解除位置となる。（各リンク３、４はばね作用による反転が解除された状態）
次に、ロック解除位置から収納位置への切り替えを設定する際の作動を説明する。収納位置への切り替えは、前記ロック解除位置のフットレスト１を、反矢印ｄ方向へ直接回動させることにより、前記連動リンク４の解除位置７ａを中心に回動する。すると連動リンク４に作動リンク３が回転軸３ａを回転中心として後方へ押し戻されながら座ブラケット５５下部へ収納される。この時、作動リンク３の反矢印ｄ方向への回転によりその回転量が或る角度を超えると、前記連結ばね６の付勢力により、作動リンク３の突設ピン８が連動リンク４の略Ｌ字状の長溝７内を移動し、解除位置７ａから回動位置７ｂへ嵌合位置が変位する。よって、収納位置へ至った状態ではフットレスト１は座ブラケット５５下部へ収納された状態となり、収納位置への設定が完了する。
【００２０】
（第２形態例）
図４は、本発明の第２形態例を示し、実線が収納状態（Ｃ）、２点鎖線が使用状態（Ａ）、３点鎖線がロック解除状態（Ｂ）における側面図である。
【００２１】
かかる図示しない着座用シート体Ｓは、フットレスト（フットレストフレーム）１００及び図示しない着座面と着座用リクライニング機構を備えたシートバックから構成されている。
【００２２】
着座用シート体Ｓの着座面には、座フレーム５００と、座フレーム５００に固定され、着座面下部に設置された図示しない座ブラケットが設けられている。座ブラケットには、作動リンク３００の根元部が回動軸３００ａにより回動自在に連結されている。また、座フレーム５００前端部である回動軸５００ａにはフットレスト１００の根元部が回動自在に連結されている。
【００２３】
前記作動リンク３００の先端部には垂直方向へ突設ピン８００が立設され、連動リンク４００の長溝７００内に移動可能且つ回動自在に嵌合している。なお、作動リンク３００先端側の下部にはマグネット９００が設定されており、連動リンク４００の係止部４００ｂへ吸着且つ当接させる係止部９００ａが設けられている。また、作動リンク３００及び連動リンク４００には連結ばね６００が張架され、一端が作動リンク３００に連結され他端が連動リンク４００に連結されている。なお連結ばね６００は常時作動リンク３００及び連動リンク４００を係止させる方向（連結はね６００の収縮方向）へ付勢力が働いている。
【００２４】
前記フットレスト１００の下部には前記連動リンク４００が回転軸４００ａを介して回動自在に連結されており、フットレスト１００が使用位置にて保持される為のストッパ２００が固設されている。
【００２５】
次に本フットレスト付きシートの第２形態例の作動を説明する。まず、図４の収納状態（Ｃ）から、フットレスト１００を直接矢印Ｄの如く回動操作する。すると、回動軸５００ａを基点として回動したフットレスト１００下部に連結された回動軸４００ａが連動し、連動リンク４００がフットレスト１００下部のストッパ２００当接面に近づく方向へ、回転しながら前面へ引き出され、連動リンク４００の長溝７００内に嵌合している突設ピン８００により、作動リンク３００も矢印Ｄ方向へ回動軸３００ａを中心に回動しながら前面に引き出される。この時、連動リンク４００及び作動リンク３００の回動により、連結ばね６００の付勢力に抗して、引張力が各リンク同士に作用する。
【００２６】
前記作動リンク３００の回転量が或る角度を超えると、前記各リンク同士に作用している引張力が連結ばね６００の付勢方向である収縮力に変化し、前記マグネット９００の吸着力により、マグネット９００の先端部９００ａ及び、前記連動リンク４００の先端部である係止部４００ｂ、が当接し、各リンク同士が一直線上になり、着座用シート体Ｓの使用位置（Ａ）に設定される。（各リンク３００、４００がばね作用により反転した状態）
なお、前記作動リンク３００の前記突設ピン８００、及び前記連動リンク４００の前記長溝７００との嵌合位置は、前記連結ばね６００の付勢力により常に回動位置７００ｂに回動自在に保持されている。
【００２７】
こうして、前記着座用シート体Ｓが使用状態に設定されると、前記フットレスト１００の自重による力が前記連動リンク４００に対して作用し、この力により連動リンク４００の前記前端部４００ｃは回動軸５００ａを基準として下方向へ微少量変位する。この為連動リンク４００の前記係止部４００ｂと前記作動リンク３００の前記係止部３００ｂが上方へ微少量変位し、係止状態がさらに強化される。よって、連動リンク４００の前記前端部４００ｃが前記ストッパ２００の下面に当接し、その位置で停止される。
【００２８】
次に、使用位置（Ａ）からロック解除位置（Ｂ）への切り換えを設定する際の作動を説明する。ロック解除位置（Ｂ）への切り替えは、直接前記フットレスト１００を、矢印Ｄ方向へさらに回動すると、前記連動リンク４００も上方へ引っ張られ連動リンク４００の係止部４００ｂとマグネット先端部９００ａとの係止部との係止状態が解除される。すると、前記連結ばね６００の付勢力により、連動リンク４００及び作動リンク３００が各先端部９００ａ及び係止部４００ｂを基点に下方へ押し下げられ、連動リンク４００の長溝７００と作動リンク３００の突設ピン８００の嵌合位置が前記回動位置７００ｂから解除位置７００ａに変位する。よって、連動リンク４００の解除位置７００ａへ作動リンク３００の突設ピン８００が移動し、その位置が着座用シート体Ｓのロック解除位置（Ｂ）となる。（各リンク３００、４００はばね作用による反転が解除された状態）
次に、ロック解除位置（Ｂ）から収納位置（Ｃ）への切り替えを設定する際の作動を説明する。収納位置（Ｃ）への切り替えは、ロック解除位置（Ｂ）のフットレスト１００を、反矢印Ｄ方向へ直接回動させることにより、前記連動リンク４００が解除位置７００ａを中心に回動する。すると連動リンク４００に作動リンク３００が回転軸３００ａを回転中心として後方へ押し戻されながら図示しない座ブラケット下部へ収納される。この時、作動リンク３００の反矢印Ｄ方向への回転によりその回転量が或る角度を超えると、前記連結ばね６００の付勢力により、作動リンク３００の突設ピン８００が連動リンク４００の長溝７００内を移動し、解除位置７００ａから回動位置７００ｂへ嵌合位置が変位する。よって、収納位置（Ｃ）へ至った状態ではフットレスト１００は座ブラケット下部へ収納された状態となり、収納位置（Ｃ）への設定が完了する。
【００２９】
第１形態例及び第２形態例共にフットレスト１，１００を直接回動させることで収納位置、使用位置、ロック解除位置を設定していたが、前記回動軸３ａ、３００ａへハンドル機構（図示なし）を連結することで、前記と同様な作動を行うことが可能である。但し、ハンドル機構を用いた場合は、着座用シート体Ｓの収納位置から使用位置への設定時において、ハンドル機構を矢印ｄ，Ｄ方向へ回動させることで作動リンク３，３００が連動して回動する。さらに作動リンク３，３００が連動リンク４，４００を前面へ押し出しフットレスト１，１００を使用位置へ設定させる。ロック解除位置への設定及び、収納位置への設定も前記第１形態例及び第２形態例での作動に前記ハンドル機構が加えられたものと同様である。
【００３０】
【発明の効果】
以上、本発明では、着座用シート体の前端部に前記フットレストの根元部が回動可能に支持され、前記フットレストの下部へ回動可能な連動リンク、前記着座用シート体下部へ連結軸を介して回動可能な作動リンク、各リンク間を連結ばねによって張架させ、前記連動リンク及び前記作動リンクは移動且つ回動可能に係合することにより前記使用位置及び前記収納位置及び前記ロック解除位置へ各ヶ設定可能なフットレスト付きシートとしたことによって、機構が複雑であるラチェットタイプのロック機構を設けることなく、直接フットレストを操作させることよって前記収納位置及び、使用位置、ロック解除位置への操作が可能となった。また、従来のハンドル機構を使用することも可能であり、操作方法の取捨選択ができ、構造が複雑とならない上、部品点数も増大しないフットレスト付きシートを構成することが可能となった。
【図面の簡単な説明】
【図１】本発明の第１形態例に係るフットレスト装置の収納状態における側面図である。
【図２】本発明の第１形態例に係るフットレスト装置の使用状態における側面図である。
【図３】本発明の第１形態例に係るフットレスト装置のロック解除状態における側面図である。
【図４】本発明の第２形態例に係るフットレスト装置の使用状態（Ａ）、ロック解除状態（Ｂ）、収納状態（Ｃ）における側面図である。
【図５】従来のフットレスト装置の使用位置（ａ）、収納位置（ｂ）を示した側面図である。
【符号の説明】
１、１００、１０  フットレスト
２、２００  ストッパ
２０  ハンドル
３、３００、３０  作動リンク
３ａ、３００ａ、３０ａ  回転軸（連結軸）
３ｂ、３０ｂ  係止部
４、４００、４０  連動リンク
４ａ、４００ａ、４０ａ  回動軸（根元部）
４ｂ、４００ｂ、４０ｂ  係止部
４ｃ、４００ｃ  前端部
５、５００  座フレーム
５０  根元側
５５  座ブラケット
５ａ、５００ａ  回動軸（前端部）
６、６００、６０  スプリング（連結ばね）
７  略Ｌ字状の長溝
７００  長溝
７ａ、７００ａ  解除位置
７ｂ、７００ｂ  回動位置
８、８００  突設ピン
９００  マグネット
９００ａ  係止部
【図１】
0003996333.tif 000002
【図２】
0003996333.tif 000003
【図３】
0003996333.tif 000004
【図４】
0003996333.tif 000005
【図５】
0003996333.tif 000006